(57)【要約】【課題】無人監視状態のときのみメール配信を行うようにすることで、メール受信装置のデータ保存領域を確保できると同時に、不要な情報までも配信することのない監視装置を提供すること。【解決手段】無人監視判断部５で監視が無人監視状態かを判断し、無人監視状態と判断した場合のみ、通信手段１１により必要情報を電子メールで配信する。配信相手は、発生した異常の重要度を異常レベル判断部７で判別し、その重要度に応じて適任者を選定する。【選択図】  図１
2004178380.tif 000002
【特許請求の範囲】
【請求項１】
制御対象側で生じる各種状態信号を入力し、異常の有無を監視する監視演算処理部を有する監視装置であって、
監視が無人監視状態かを判断する無人監視判断部と、
異常発生時、その異常の重要度を判別し、その重要度に応じて連絡先適任者を選定する異常レベル判断部と、
前記無人監視判断部が無人監視状態と判断した場合、前記異常レベル判断部によって選定された連絡先適任者に必要情報を電子メールで配信する通信手段と、
を備えたことを特徴とする監視装置。
【請求項２】
無人監視判断部は、監視用の電源オフの状態が設定時間以上継続した場合、監視演算処理部に対する手動操作が設定時間以上行われない場合、監視室の照明電源が設定時間以上オフの場合、の少なくとも一つの場合が生じたなら無人監視状態と判断することを特徴とする請求項１に記載の監視装置。
【請求項３】
異常レベル判断部は連絡先適任者として、重要度が高い場合は複数の同報通知先を選定し、重要度が低い場合は１対１通知される担当者を選定することを特徴とする請求項１に記載の監視装置。
【請求項４】
同報通知先は、管理・監督者又はメンテナンス会社のいずれかを含むことを特徴とする請求項３に記載の監視装置。
【発明の詳細な説明】
【０００１】
【発明の属する技術分野】
本発明は、無人監視状態における異常発生時の対応を改良した監視装置に関する。
【０００２】
【従来の技術】
例えば、鉄鋼や化学プラント等を監視・操作する場合、プラント監視装置はプラント側に生じる各種の状態信号を入力し、異常の有無を監視している。そしてプラント側に異常状態が生じた場合、これをオペレータに知らせ、オペレータはしかるべき処置をとる。
【０００３】
ところで、近年、省力化が叫ばれており、オペレータの省力化により、監視・操作のみならず現場の状況確認等や操業に影響が無いと判断した場合は、無人によりプラントは自動運転を行うことになる。このような場合でも、プラントが異常になった場合は、異常状態をオペレータに瞬時に知らせる必要があり、連絡手段としては、携帯電話のメール機能による異常通知が用いられている（例えば、特許文献１参照）。
【０００４】
通常、無人監視装置であっても、完全に無人の場合は少なく、時間帯によってはオペレータが有人で監視を行うことがある。ところが、従来のプラント監視装置では、オペレータが監視・操作中であっても、プラントが異常になった場合、異常状態が自動的にメール配信されるので、メール受信装置のデータ保存領域を圧迫してしまう。このような場合、オペレータは、監視・操作中は携帯電話の電源を切っておくことが多い。しかし、無人となった際には携帯電話の電源を入れなければならず、電源の入れ忘れがあると、プラントの異常状態を知らしめることが出来なくなってしまう。
【０００５】
【特許文献１】
特開２００２−１４９２３３号公報
【０００６】
【発明が解決しようとする課題】
このように従来の監視装置では、異常が発生した場合、有人状態であっても無人監視状態を想定して関係者に異常状態情報を自動メール配信してしまうため、有人監視状態のときは無駄となるメール配信が多く生じ、メール受信装置のデータ保存領域を圧迫してしまう。
【０００７】
本発明の目的は、無人監視状態のときのみメール配信を行うようにすることで、メール受信装置のデータ保存領域を確保できると同時に、不要な情報までも配信することのない監視装置を提供することにある。
【０００８】
【課題を解決するための手段】
本発明による監視装置は、制御対象側で生じる各種状態信号を入力し、異常の有無を監視する監視演算処理部を有するものであって、監視が無人監視状態かを判断する無人監視判断部と、異常発生時、その異常の重要度を判別し、その重要度に応じて連絡先適任者を選定する異常レベル判断部と、前記無人監視判断部が無人監視状態と判断した場合、前記異常レベル判断部によって選定された連絡先適任者に必要情報を電子メールで配信する通信手段とを備えたことを特徴とする。
【０００９】
本発明では、無人監視判断部は、監視用の電源オフの状態が設定時間以上継続した場合、監視演算処理部に対する手動操作が設定時間以上行われない場合、監視室の照明電源が設定時間以上オフの場合、の少なくとも一つの場合が生じたなら無人監視状態と判断する。
【００１０】
また、本発明では、異常レベル判断部は、連絡先適任者として、重要度が高い場合は複数の同報通知先を選定し、重要度が低い場合は１対１通知される担当者を選定する。
【００１１】
この場合、同報通知先は、管理・監督者又はメンテナンス会社のいずれかを含む。
【００１２】
これらの発明では、無人監視判断部で監視が無人監視状態かを判断し、無人監視状態と判断した場合のみ、通信手段により必要情報を電子メールで配信する。配信相手は、発生した異常の重要度を異常レベル判断部で判別し、その重要度に応じて適任者を選定する。
【００１３】
【発明の実施の形態】
以下、本発明による監視装置の一実施の形態を、図面を参照して説明する。
【００１４】
図１はこの実施の形態を示すブロック図である。図１において、１は鉄鋼や化学プラント等の監視対象で、各種のプロセス情報を有する。２は監視演算処理部で、監視対象であるプラント１との間で各種情報の入出力を管理し、処理演算・監視制御を司る。３はモニタ装置、４は手動操作部で、監視演算処理部２に接続され、プラント１の監視及び操業・操作を行う。
【００１５】
５は無人監視判断部で、後述する各種条件により、プラント１に対する監視状態が無人状態であるかの判断を行い、その判断結果に応じて切換部６をオン・オフ制御する。すなわち、プラント１に対する監視状態が無人モードであれば、切換部６をオン状態に制御し、監視制御演算処理部２によって検出された各種プロセス異常の情報を後続装置に引き渡す。
【００１６】
７は異常レベル判断部で、切換部６に接続され、監視制御演算処理部２によって検出された異常情報を入力し、プロセス異常の重み付けを行う。すなわち、プラント１における異常発生時、その異常の重要度を判別し、後述するように、その重要度に応じて連絡先適任者を選定する。
【００１７】
８は電子メール送信プログラム、９はモデムで、通信手段１１を構成する。この通信手段１１は、異常レベル判断部７とインターネットなどによる通信回線１０との間に接続され、プラント１における異常発生時、異常レベル判断部７によって選定された連絡先適任者に必要情報を電子メールで配信する。すなわち電子メール送信プログラム８は、異常レベル判断部７からの情報で異常内容を電子メールに登録し、モデム９により通信回線１０を介して配信する。
【００１８】
このため、プラント１に対する監視状態が無人状態であっても、必要な情報を適切な管理・担当者に、早期かつ的確に通知でき、プラント異常状態に対応することができる。
【００１９】
図２は、無人監視判断部５が、いかにして無人状態を検出するかの詳細説明図である。図２において、５ａはモニタ電源監視部で、モニタ装置３の操作終了や退席時に伴って行なわれる、モニタ電源（監視用電源）に対するオフ操作を検出し、モニタ電源がオフされたことを表すモニタ電源信号を出力する。５ｂは操作無し状態検出部で、手動操作部４による手動操作が無かった状態を検出し、操作無し信号を出力する。５ｄは監視操作室照明監視部で、モニタ装置３による監視や手動操作部４による手動操作を行う監視操作室の照明スイッチ５ｃを監視する。すなわち、照明スイッチ５ｃがオフ操作されたことを検出し、照明オフ状態を表す照明スイッチ信号を出力する。
【００２０】
無人監視判断部５は、これらモニタ電源信号、操作無し信号、照明スイッチ信号をそれぞれ入力し、それぞれ対応するタイマ５１，５２，５３により、これらの信号が設定時間以上継続したかを判断する。これらタイマ５１，５２，５３からの出力信号は論理和回路５４に入力され、３信号のうち、いずれかが出力された場合、すなわち、モニタ電源オフ、操作無し状態、照明スイッチオフの少なくとも一つの状態が設定時間以上継続したなら、無人モードであるとこと判断し、切換部６をオン動作させる。
【００２１】
また、無人監視判断部５が無人監視状態を検出することにより、モニタ電源の消し忘れ、照明スイッチの消し忘れを防止することも出来る。
【００２２】
なお、無人状態を検知する手段として、高価な赤外線感知器等のセンサーによってオペレータが存在するか否かを判断するものも有るが、上述の構成では、既存のスイッチなどを検出対象としているため、安価に構成でき、しかも確実に無人状態を検出できる。
【００２３】
図３は、プロセス異常の異常ランクを判別し、配信先を決定する異常レベル判断部７の機能を詳細説明する図である。図３において、監視演算処理部２は、プラント１からのプロセス信号（状態信号）１点１点に対して異常有無の判断と異常状態の登録及びその分類（ランク付け）を行う。
【００２４】
異常レベル判断部７は、無人監視判断部５が無人モードと判断した場合、切換部６を経由して監視演算処理部２からプロセス異常信号を入力する。この異常信号の異常ランクが高であれば、同報通知により担当者のみならず管理・監督者、メンテナンス会社等にまで配信できるように設定する。一方、異常ランクが低であれば、担当者との１対１通知を行うように設定する。すなわち、プラントの異常レベルに応じて自動的に最適配信者を決定し、電子メールにより配信することができる。
【００２５】
上記構成において、プラント１に対する監視状態が無人監視状態であっても、プラント１からは、各種のプロセス信号が監視演算処理部２に入力されており、監視演算処理部２は所定の監視制御機能を実行する。その結果、プラント１に故障などの異常が発生すると、この異常を検出し、異常種別やその規模などから以上の重要度を判断してランク付けを行い、その結果を図示しないロギング装置などに出力する。
【００２６】
一方、プラント１に対する監視状態が無人であるかは、無人監視判断部５により、モニタ電源オフ、手動操作が無い、照明電源オフの３つの条件の少なくとも一つが成立することにより判断している。そして、無人状態と判断された場合は、切換部６をオン状態にするので、監視演算処理部２から出力された異常状態に関する情報は、切換部６を通って異常レベル判断部７に入力される。
【００２７】
異常レベル判断部７は入力された異常状態に関する情報を判断し、その異常ランクが高い場合は、同報通知による電子メール配信先として、担当者のみならず管理・監督者、メンテナンス会社等を決定する。一方、異常ランクが低ければ、１対１通知による電子メール配信先として該当する担当者を決定する。この決定された配信先に対して、電子メール送信プログラム８により、異常状態に対応した必要情報を電子メールで送信する。
【００２８】
すなわち、無人監視状態において、プラント１に異常が発生した場合、異常レベルに応じて自動的に最適配信者を決定し、必要とする情報を電子メールにより配信することができる
ここで、プラント１に対する監視状態が無人であるかを認識する手段として、オペレータの存在を、高価な赤外線感知器等のセンサー装置で自動認識することなく、電源スイッチの状態など、既存の装置・環境から無人状態を的確に判断できるの、設備コストは上昇せず、しかも確実に無人状態を判別できる。さらに、無人モードであると判断することで、電源オフ操作のし忘れを防止することもできる。
【００２９】
また、無人モードの場合、異常ランクにより、プラントの状態が危険な状態であるかを判断し、異常ランクが高であれば担当者のみならず、その管理監督者及びメンテナンス会社に同報通知でメール配信するので、しかるべき措置を早期に行うことが出来る。また、軽微な異常であることを異常ランク低により判断すれば、担当者のみへのメール配信により、無駄な情報の通知を避けることが出来る。
【００３０】
【発明の効果】
本発明によれば、監視状態が無人か否かを判断し、無人監視状態のときのみメール配信を行うようにしたので、メール受信装置のデータ保存領域を確保できると同時に、不要な情報までも配信することのない。
【図面の簡単な説明】
【図１】本発明による監視装置の一実施の形態を示すブロック図である。
【図２】同上一実施の形態における無人監視判断部の機能を説明するブロック図である。
【図３】同上一実施の形態における異常レベル判断部の機能を説明するブロック図である。
【符号の説明】
１    監視対象
２    監視制御演算処理部
３    モニタ装置
４    手動操作部
５    無人監視判断部
６    切換部
７    異常レベル判断部
１１    通信装置
【図１】
2004178380.tif 000003
【図２】
2004178380.tif 000004
【図３】
2004178380.tif 000005